(57)【要約】【課題】モチーフを有した形状物が形状や色彩の美しさを楽しむだけのものでなく、思わず指先ではじいてみたり、手で触ってみると、とフレキシブで繊細に可動する機能を有した玩具、オブジェ並びにレリーフを提供する。【解決手段】薄板状素材を円板状、または、任意形状に形成し、該薄板状素材を幾重にも重合させることにより玩具、オブジェ並びにレリーフを製作するにあたり、前記薄板状素材は互いにスペーサーを介して疎密に重ね合わせ、該薄板状素材のセンター芯を貫通するテングス等の紐部材にて両端または上下端を張着する。【選択図】  図４
0003139147.tif 000002
【実用新案登録請求の範囲】
【請求項１】
紙、木板、合成樹脂、金属板、布地、ガラス、石からなる薄板状素材を円板状に多数枚形成し、該円板状に形成したそれぞれの薄板状素材を互いにスペーサーを介して疎密に重ね合わせ、また、部分的に円板状に形成したそれぞれの薄板状素材はスペーサーを介さずに重ね合わせ、該それぞれの薄板状素材を連繋するためのテングスやピアノ線から成る紐部材を前記それぞれの薄板状素材のセンター芯を貫通させて両端部から張着した構造となしてモチーフを有する造形物を製作したことを特徴とする玩具、オブジェ並びにレリーフの構造。
【請求項２】
紙、木板、合成樹脂、金属板、布地、ガラス、石からなる薄板状素材を円板状に多数枚形成し、該円板状に形成したそれぞれの薄板状素材を互いにスペーサーを介して疎密に重ね合わせ、また、部分的に円板状に形成したそれぞれの薄板状素材はスペーサーを介さずに重ね合わせ、該それぞれの薄板状素材を連繋するためのテングスやピアノ線から成る紐部材を前記それぞれの薄板状素材のセンター芯を貫通させたり途中から前記センター芯より偏芯した位置で貫通させて両端部から張着した構造となしてモチーフを有する造形物を製作したことを特徴とする玩具、オブジェ並びにレリーフの構造。
【請求項３】
前記薄板状素材の形状を円板状のみならず他の形に形成して任意の形状となし、また該円板状と他の形に形成された任意の形状の薄板状素材を自由に組み合わせて造形物を製作したことを特徴とする請求項１又は請求項２のいずれかに記載の玩具、オブジェ並びにレリーフの構造。
【請求項４】
前記薄板状素材の直径乃至大きさを任意に選択し、また該直径乃至大きさの異なる薄板状素材の組み合わせを自由に選択して造形物を製作したことを特徴とする請求項１乃至請求項３のいずれかに記載の玩具、オブジェ並びにレリーフの構造。
【請求項５】
前記薄板状素材の厚さを任意に選択し、また該厚さの異なる薄板状素材の組み合わせを自由に選択して造形物を製作したことを特徴とする請求項１乃至請求項４のいずれかに記載の玩具、オブジェ並びにレリーフの構造。
【請求項６】
前記薄板状素材の色彩を任意に選択し、また該色彩の異なる薄板状素材の組み合わせを自由に選択して造形物を製作したことを特徴とする請求項１乃至請求項５のいずれかに記載の玩具、オブジェ並びにレリーフの構造。
【請求項７】
前記薄板状素材は平板状のみならずエンボス板、波板形状のものを任意に選択し、また該平板、エンボス、波板状板の組み合わせを自由に選択して造形物を製作したことを特徴とする請求項１乃至請求項６のいずれかに記載の玩具、オブジェ並びにレリーフの構造。
【請求項８】
前記薄板状素材をアクリル板等の透明な合成樹脂にて中空板状に形成し、該中空部に液体を注入して密閉した構造とすることにより、微細な動きに連動して大きく動きだすことを特徴とする請求項１乃至請求項７のいずれかに記載の玩具、オブジェ並びにレリーフの構造。
【請求項９】
前記薄板状素材とスペーサーの重ね合わせにより形成される造形物は、薄板状素材に合成樹脂からなる蓄光板を用いたり、また光ファイバーを薄板状素材内に組み込み、或いは薄板状素材と薄板状素材間に光ファイバーを組み込むことにより夜間でも光輝く構造とすることを特徴とする請求項１乃至請求項８のいずれかに記載の玩具、オブジェ並びにレリーフの構造。
【請求項１０】
前記薄板状素材の重合にて形成された造形物は該造形物の端部にマグネットを組込み、前記オブジェまたは該オブジェの部品を鋼板上で磁力にて載置し、或いは懸架可能にしたことを特徴とする請求項１乃至請求項９のいずれかに記載の玩具、オブジェ並びにレリーフの構造。
【請求項１１】
前記薄板状素材またはスペーサーを貫通して張着するための紐部材は可撓性のあるテングス、ピアノ線、針金、ワイヤー、凧糸、コイルバネから任意に選択し、また組み合わせを自由に選択して造形物を製作したことを特徴とする請求項１乃至請求項１０のいずれかに記載の玩具、オブジェ並びにレリーフの構造。
【請求項１２】
前記スペーサーは厚さを任意に変えたり薄板状素材と一体化して製作することにより薄板状素材の重合時における各薄板状素材の疎密度を変化可能となして造形物を製作したことを特徴とする請求項１乃至請求項１１のいずれかに記載の玩具、オブジェ並びにレリーフの構造。
【考案の詳細な説明】
【技術分野】
【０００１】
本考案は、紙、木板、合成樹脂、金属板、布地、ガラス、石等から成る素材を薄板状に形成して幾重にも重ね合わせて製作する玩具、オブジェ並びにレリーフの構造に関するものである。
【０００２】
本考案が対象とする玩具とは、主に、紙、木板、合成樹脂、布地等から成る有色の薄板状素材を例えば円板状に型抜きし、該型抜きされた円板は、互いにスペーサーを介して疎密に重ね合わせてテングス等の紐部材にて両端部から張着した構造をなしてモチーフとなる形状を製作し、該モチーフを有した形状物が、形状や色彩の美しさを楽しむだけのものではなく、指先ではじいてみたり、手に取ってみるとフレキシブに可動する機能を有し思わず手に取ってその動きや感触を確かめたくなるような玩具である。
【０００３】
また、本考案が対象とするオブジェとは、製作される大きさや、設置される場所により、紙、木板、合成樹脂、金属板、布地、ガラス、石等から成る薄板状素材を任意に選択し、該薄板状素材を例えば円板状に形成して幾重にも重ね合わせ、該薄板状素材から成る円板は互いにスペーサーを介して疎密に重ね合わせてテングスやピアノ線等の紐部材にて両端部から張着した構造を有し、その形状や、色彩を楽しめる他、手で触れてその動きや感触を確かめたくなるような造形物である。
【０００４】
更に、本考案が対象とするレリーフとは、製作される大きさや、設置される場所、並びにモチーフより、紙、木板、合成樹脂、金属板、布地、ガラス、石等から成る薄板状素材を任意に選択し、該薄板状素材を例えば円板状に形成して幾重にも重ね合わせ、該薄板状素材から成る円板は互いにスペーサーを介して疎密に重ね合わせてテングスやピアノ線等の紐部材にて両端部から張着した構造を有した造形物となし、その形状や、色彩を楽しめる他、手で触れたり、風や雨、又は特別に設置された駆動装置によりフレキシブに可動する機能を有した美術的要素の高い造形物である。
【０００５】
斯くして、本考案は、紙、木板、合成樹脂、金属板、布地、ガラス、石等の素材を薄板状に形成して幾重にも重ね合わせて製作する玩具、オブジェ並びにレリーフに関するものであり、前記薄板状素材を用いて任意な造形物を組み立てるための構造や形状を提供するものである。
【背景技術】
【０００６】
従来、色彩の異なる正方形の紙を幾重にも重ね合わせて、その端部を糊付けして正方柱にまとめあげたメモ用紙や、該正方形の紙を端部で糊付けしてする際に、正方形の紙を該正方形の紙の軸芯を中心に少しずつ回動させた状態にてずらし、糊付けして、丁度、正方柱が捻れた形状にまとめてあるメモ用紙が市販されている。
【０００７】
前記メモ用紙は、色彩の異なる正方形の紙を幾重にも重ね合わせて、色彩の美しさや、正方柱の捻れ形状を楽しみながら、メモ用紙を使える実用事務用品として机上に置かれ、ある時期、オブジェ的な役割をも果たしている。
【０００８】
しかしながら、前記メモ用紙は、使用すれば消耗して色彩の美しさや、形状のおもしろさは楽しめなくなるので、メモ用紙と言う実用的な事務用品に色彩の美しさと形状的おもしろさを付加したのみの商品であり、本考案の如く紙、木板、合成樹脂、金属板、布地、ガラス、石等から成る幅の広い素材を用いて薄板状素材を形成し、該薄板状素材がスペーサーを介して幾重にも重ね合わせて製作される玩具、オブジェ並びにレリーフに関するものは皆無であった。
【考案の開示】
【考案が解決しようとする課題】
【０００９】
斯くして、本考案は主に、紙、木板、合成樹脂、布地等から成る有色の薄板状素材を例えば円板状に型抜きし、該型抜きされた円板は、互いにスペーサーを介して疎密に重ね合わせてテングス等の紐部材にて両端部から張着した構造をなしてモチーフとなる形状を製作し、該モチーフを有した形状物が、形状や色彩の美しさを楽しむだけのものではなく、指先ではじいてみたり、手に取ってみるとフレキシブに可動する機能を有し思わず手に取ってその動きや感触を確かめたくなるような玩具を提供するものである。
【００１０】
また、本考案は、製作される大きさや、設置される場所、並びにモチーフより、紙、木板、合成樹脂、金属板、布地、ガラス、石等から成る薄板状素材を任意に選択し、該薄板状素材を例えば円板状に形成して幾重にも重ね合わせ、該薄板状素材から成る円板は互いにスペーサーを介して疎密に重ね合わせてテングスやピアノ線等の紐部材にて両端部から張着した後、紐部材のクランプ機構にて前記薄板状素材とスペーサーを連結可能に構成した造形物であり、その形状や、色彩、そして照明等による輝きを楽しめる他、手で触れたり風や雨、或いは特別に組み込まれた駆動機構によりフレキシブに可動するオブジェやレリーフを提供するものである。
【課題を解決するための手段】
【００１１】
而して、本考案は、紙、木板、合成樹脂、金属板、布地、ガラス、石からなる薄板状素材を円板状に多数枚形成し、該円板状に形成したそれぞれの薄板状素材を互いにスペーサーを介して疎密に重ね合わせ、また、部分的に円板状に形成したそれぞれの薄板状素材はスペーサーを介さずに重ね合わせ、該それぞれの薄板状素材を連繋するためのテングスやピアノ線から成る紐部材を前記それぞれの薄板状素材のセンター芯を貫通させて両端部から張着した構造となしてモチーフを有する造形物を製作したことを主な特徴とする。
【００１２】
また、本考案は、紙、木板、合成樹脂、金属板、布地、ガラス、石からなる薄板状素材を円板状に多数枚形成し、該円板状に形成したそれぞれの薄板状素材を互いにスペーサーを介して疎密に重ね合わせ、また、部分的に円板状に形成したそれぞれの薄板状素材はスペーサーを介さずに重ね合わせ、該それぞれの薄板状素材を連繋するためのテングスやピアノ線から成る紐部材を前記それぞれの薄板状素材のセンター芯を貫通させたり途中から前記センター芯より偏芯した位置で貫通させて両端部から張着した構造となしてモチーフを有する造形物を製作したことも主な特徴としている。
【００１３】
そして、本考案においては、前記薄板状素材の形状を円板状のみならず他の形に形成して任意の形状となし、また該円板状と他の形に形成された任意の形状の薄板状素材を自由に組み合わせて造形物を製作することが好ましい。
【００１４】
また、本考案においては、前記薄板状素材の直径乃至大きさを任意に選択し、また該直径乃至大きさの異なる薄板状素材の組み合わせを自由に選択して造形物を製作することが好ましい。
【００１５】
更に、本考案においては、前記薄板状素材の厚さを任意に選択し、また該厚さの異なる薄板状素材の組み合わせを自由に選択して造形物を製作することが好ましい。
【００１６】
更にまた、本発明においては、前記薄板状素材の色彩を任意に選択し、また該色彩の異なる薄板状素材の組み合わせを自由に選択して造形物を製作することが好ましい。
【００１７】
本考案における前記薄板状素材は、平板状のみならずエンボス板、波板形状のものを任意に選択し、また該平板、エンボス、波板状板の組み合わせを自由に選択して造形物を製作することが好ましい。
【００１８】
そして、本考案の実施例として、前記薄板状素材をアクリ板等の透明な合成樹脂にて中空板状に形成し、該中空部に液体を注入して密閉した構造とすることにより、微細な動きに連動して大きく動きだす構造も可能である。
【００１９】
また、本考案の実施例として、前記薄板状素材とスペーサーの重ね合わせにより形成される造形物は、薄板状素材に合成樹脂からなる蓄光板を用いたり、また光ファイバーを薄板状素材内に組み込み、或いは薄板状素材と薄板状素材間に光ファイバーを組み込むことにより夜間でも光輝く構造とすることも可能である。
【００２０】
更に本考案の実施例として、前記薄板状素材の重合にて形成された造形物は該造形物の端部にマグネットを組込み、前記オブジェまたは該オブジェの部品を鋼板上で磁力にて載置し、或いは懸架可能にした構造とすることもできる。
【００２１】
本考案における薄板状素材、またはスペーサーを貫通して張着するための紐部材は、可撓性のあるテングス、ピアノ線、針金、ワイヤー、凧糸、コイルバネから任意に選択し、また組み合わせを自由に選択して造形物を製作することが好ましい。
【００２２】
そして、本考案におけるスペーサーは、厚さを任意に変えたり薄板状素材と一体化して製作することにより薄板状素材の重合時における各薄板状素材の疎密度を変化可能となして造形物を製作することが好ましい。
【考案の効果】
【００２３】
斯くして、本考案は、紙、木板、合成樹脂、金属板、布地、ガラス、石等の素材を薄板状に形成して、該薄板状素材を円板または他の形に型抜きして、幾重にも重ね合わせて、モチーフとなる形状を製作し、該モチーフを有した形状物が、形状や色彩の美しさを楽しむだけのものではなく、思わず指先ではじいてみたり、手に取ってみるとフレキシブで繊細に可動する機能を有した玩具を提供することができた。
【００２４】
また、本考案は、製作される大きさや、設置される場所、並びにモチーフより、紙、木板、合成樹脂、金属板、布地、ガラス、石等から成る薄板状素材を任意に選択し、該薄板状素材を、例えば円板状に形成して幾重にも重ね合わせ、該薄板状素材から成る円板は互いにスペーサーを介して疎密に重ね合わせてテングスやピアノ線等の紐部材にて両端部から張着した後、紐部材のクランプ機構にて前記薄板状素材とスペーサーを連結可能に構成した造形物であり、その形状や、色彩を楽しめる他、手で触れたり風や雨、或いは特別に組み込まれた駆動機構によりフレキシブに可動する屋内外用のオブジェやレリーフを提供することができた。
【考案を実施するための最良の形態】
【００２５】
而して、本考案における玩具とは、主に紙、木板、合成樹脂、布地、等から成る薄板状素材を任意に選択して、該薄板状素材を例えば円板状に形成して幾重にも重ね合わせ、該薄板状素材から成る円板は互いにスペーサーを介して疎密に重ね合わせてテングスやピアノ線等の紐部材にて両端部から張着した後、紐部材のクランプ機構にて前記薄板状素材とスペーサーを連結可能に構成した造形物であり、その大きさは、概ね、手のひらに乗る大きさや、手に取って楽しめる大きさを有している。
【００２６】
また、本考案におけるオブジェ、並びにレリーフとは、屋内外に設置される美術的要素の高い造形物で、製作される大きさや、設置される場所、並びにモチーフより、紙、木板、合成樹脂、金属板、布地、ガラス、石等の幅の広い薄板状素材を任意に選択し、該薄板状素材を例えば円板状に形成して幾重にも重ね合わせ、該薄板状素材から成る円板は互いにスペーサーを介して疎密に重ね合わせて金属製のワイヤーやピアノ線等の紐部材にて両端部から張着した後、紐部材のクランプ機構にて前記薄板状素材とスペーサーを連結可能に構成した造形物であり、その形状や、色彩、そして照明等による輝きを楽しめる他、手で触れたり、風や雨、又は特別に設置された駆動装置によりフレキシブに可動する機能を有した高さ約二メートル前後の大きさを有する造形物を想定している。
【００２７】
本考案の薄板状素材とスペーサーに用いられる紙とは、主にクラフト紙や、固めの和紙等を示し、例えば色彩のそれぞれ異なるクラフト紙や和紙を多数枚円板状に切り抜き、または型抜きして形成し、該円板状に形成されたクラフト紙を適宜配色して幾重にも重合させることにより玩具並びにオブジェ等を構成する。
【００２８】
また、本考案の薄板状素材とスペーサーに用いられる木板とは、良く乾燥させた反りの無い木板を用いることや、該木板にそれぞれ塗装を施こして、玩具並びにオブジェやレリーフを構成する。
【００２９】
更に本考案の薄板状素材とスペーサーに用いられる合成樹脂とは、透明のアクリル板、ポリカボーネイトや発泡ウレタン、塩化ビニール等が好ましく、また、合成樹脂を含侵させた布も大いに利用できる。
【００３０】
そして、本考案において比較的大きなオブジェ、レリーフを製作するにあたっては、薄板状素材とスペーサーにアルミやステンレス等の金属やガラス、そして、石等をもちいることにより、造形物の美術的表現を幅の広いものとすることができる。
【００３１】
斯くして、本考案は上述の主な構成に種々の具体的な構成要素が付加される。
即ち、前記、薄板状素材及びスペーサーは紙、木板、合成樹脂、金属板、布地、ガラス板、石板等から任意に選択し、また組み合わせを自由に選択できる。
【００３２】
前記、薄板状素材の形状は円板形状のみならず、任意形状として形成し、該任意形状の板材が幾重にも重合することにより種々のモチーフを表現出来、且つ前記円板形状の直径を変化させて任意に重ね合わせることや、薄板状素材の形状大きさを任意に変化させることは自由に選択できる。
【００３３】
前記、薄板状素材の厚さを任意に選択したり、該薄板状素材の厚さを適宜変更しながら重合して、玩具、並びにオブジェやレリーフを製作することは自由にできる。
【００３４】
また、前記薄板状素材及びスペーサーを貫通して、該薄板状素材及びスペーサーを張着一体化するための紐部材は、可撓性のあるテングス、針金、ピアノ線、ワイヤー、凧糸、コイルバネ等から任意に選択し、また組み合わせを自由に選択できる構成とすることが可能である。
【００３５】
更にまた、本考案は、前記スペーサーの厚さを変えることにより薄板状素材の重合時における各薄板状素材間の間隙を可変して重合する各薄板状素材の疎密度を変化させる構成が可能である。
【００３６】
而して本考案が対象とする玩具、並びにオブジェ、レリーフとは、美術的要素の高い置物、インテリア、装飾品等として量産可能なもので、前述の構成をもって、共通の動きや、見る人にその形状の楽しさ、配色の美しさを与えるだけでなく、該オブジェは屋内外の空間に置かれ、見る人が思わず手に取ってその動きや感触を確かめたり、手でさわってみたくなるような造形物を提供する。
【実施例１】
【００３７】
本考案の実施例１はモチーフとしてヘビを具象化してオブジェとしてまとめたものである。図１は全体の形状を示す立体図、図２は実施例１の構成を示す分解図を示している。
【００３８】
図１及び図２において、１はオブジェ本体（実施例１のモチーフはヘビ）、２ａ、２ｂ、２ｃ、２ｄ、・・・・２ｘ、２ｙ、２ｚはクラフト紙等を円板状に型抜きした薄板状素材、３ａ、３ｂ、３ｃ、・・・・はスペーサー（図２に示す）、４ａ、４ｂは頭部、５ａ、６ｂは尻尾端部、６は紐部材のテングス、７ａ、７ｂ、7ｃ、７ｄ、７ｅは円板であり、該円板のセンター芯にはそれぞれ前記テングス６の張着部孔８がそれぞれ穿たれている。
【００３９】
而して、本考案の実施例１は、種々色彩を有するカラークラフト紙等を適宜選択して同一直径の円板状に切り抜いて薄板状素材２ａ、２ｂ、２ｃ・・・を形成し、該薄板状素材２ａ、２ｂ、２ｃ・・・を幾重にも重合させることによりオブジェ本体１（ヘビ）を製作するにあたり、該薄板状素材２ａ、２ｂ、２ｃ・・・は互いにスペーサー３ａ、３ｂ、３ｃ・・・を介して疎密に重ね合わせ、該薄板状素材２ａ、２ｂ、２ｃ・・・のセンター芯を貫通するテングス６等の紐部材にて両端より張着したものである。
【００４０】
前記、薄板状素材２ａ、２ｂ、２ｃ・・・は種々のカラークラフト紙を適宜混合して円板状に切り抜いたり、型取りして作るもので、実施例１においては、同一直径のものが使用されている。
【００４１】
また、造形物が玩具の様に小ささ場合には、薄板状素材２ａ、２ｂ、２ｃ・・・はクラフト紙を用いているが、該薄板状素材は、和紙や木板、そしてアクリル板や発泡ウレタン等の合成樹脂を用いることもでき、オブジェやレリーフの様に大きな造形物を製作する際には、金属板やガラス、石等より任意に選択し、或いは前記素材の組み合わせも自由に行える。
【００４２】
次に、前記スペーサー３ａ、３ｂ、３ｃ・・・は、薄板状素材２ａ、２ｂ、２ｃ・・・間にそれぞれ配置され、該薄板状素材間に間隙を設けるもので、スペーサー３ａ、３ｂ、３ｃ・・・を介して薄板状素材２ａ、２ｂ、２ｃ・・・の円板は互いに疎密に重ね合わせることができる。
【００４３】
スペーサー３ａ、３ｂ、３ｃ・・・の材質は、前記薄板状素材２ａ、２ｂ、２ｃ・・・と同様に紙、木板、合成樹脂、金属板、布地、ガラス、石等があり、前記薄板状素材２ａ、２ｂ、２ｃ・・・の直径に対応して、大きさや、厚さを変化させると、オブジェ本体１の動きや反応を面白く変化出来る。
【００４４】
斯くして、実施例１において、前記頭部４ａ、４ｂ、及び尻尾端部５ａ、５ｂは端部塞ぎであるが、頭部４ａ、４ｂは、カラークラフト紙にて、目、口を造形してヘビを表現している。
【００４５】
前記テングス６は、頭部４ａ側の円板７ａ、７ｂに穿たれた張着孔８内に繋着され、順に、薄板状素材２ａ、スペーサー３ａ、薄板状素材２ｂ、スペーサー３ｂ、薄板状素材２ｃ、スペーサー３ｃと、それぞれのセンター芯を貫通して締着していき、オブジェ本体１を形成する。
【００４６】
そして、テングス６は、尻尾端部５ａの附近で繋着され、該テングス６の端部は、円板７ｃ、７ｄ、７ｅ内に収納されるので、該部分を前記尻尾端部５ａ、５ｂにて塞ぐことにより端部をきれいに処理している。テングス６は前記薄板状素材２ａ、２ｂ、２ｃ・・・をスペーサー３ａ、３ｂ、３ｃ・・・を介して疎密に重ね合わせ、該重ね合わせを幾重にも繰り返すことにより、図１に示すような長いヘビのオブジェ本体１を形成している。
【００４７】
また、テングス６は、オブジェ本体１の両端附近で、連繋された薄板状素材２ａ、２ｂ、２ｃ・・・とスペーサー３ａ、３ｂ、３ｃ・・・を適宜に張着することにより、オブジェ本体１を手に取ったときに、可撓性を発揮してフレキシブで繊細な動きをして、楽しめるオブジェを提供する。
【００４８】
尚、テングス６は、針金、ワイヤー、凧糸、コイルバネ等から任意に選択し、また、組み合わせを自由に選択出来るものである。
【００４９】
斯くして、実施例１の本発明は、種々色彩を持つカラークラフト紙等を適宜選択して同一直径の円板状に切り抜いて薄板状素材２ａ、２ｂ、２ｃ・・・を形成し、該薄板状素材２ａ、２ｂ、２ｃ・・・を幾重にも重合させることによりオブジェ本体１を製作するにあたり、該薄板状素材２ａ、２ｂ、２ｃ・・・は互いにスペーサー３ａ、３ｂ、３ｃ・・・を介して疎密に重ね合わせ、該薄板状素材２ａ、２ｂ、２ｃ・・・のセンター芯を貫通するテングス６等の紐部材にて両端部より張着したものである。
【実施例２】
【００５０】
実施例２は、実施例１の応用例として、図３に基づいて説明する。図３は、カラークラフト紙等を適宜選択して同一直径の円板状に切り抜いて薄板状素材２ａ、２ｂ、２ｃ・・・を形成し、該薄板状素材２ａ、２ｂ、２ｃ・・・を幾重にも重合させることによりヘビのオブジェ本体１を製作するに際して、該薄板状素材２ａ、２ｂ、２ｃ・・・は互いにスペーサー３ａ、３ｂ、３ｃ・・・を介して疎密に重ね合わせ、該薄板状素材２ａ、２ｂ、２ｃ・・・等は、初め頭部４ａ側より薄板状素材のセンター芯をテングス６が貫通して連繋されているが途中からセンター芯Ｓより偏芯した位置でテングス６をそれぞれ薄板状素材２ｘ、２ｙ、２ｚが貫通させて連繋し、該テングス６の両端部をオブジェ本体１の両端部で張着したものである。
【００５１】
従って、実施例２においては、前記薄板状素材２ａ、２ｂ、２ｃ・・・を貫通して、該薄板状素材２ａ、２ｂ、２ｃ・・・とスペーサー３ａ、３ｂ、３ｃ・・・を幾重にも重ね合わせるテングス６を、前記薄板状素材のセンター芯上を貫通したり、意識的に薄板状素材のセンター芯より偏芯した位置にてテングスを貫通させることを繰り返し、より面白い動きをするヘビのオブジェ本体１が得られる。
【実施例３】
【００５２】
本考案の実施例３はモチーフとして洋ナシを具象化してまとめたものである。図４は実施例３の側面図、図５は実施例３を平板上に載置したときの状態を立体図にて示している。
【００５３】
図４及び図５において、１１はオブジェ本体（モチーフは洋ナシ）、１２ａ、１２ｂ、１２ｃ、１２ｄ・・・１２ｘ、１２ｙ、１２ｚはクラフト紙等を円板状に型抜きした薄板状素材で、該薄板状素材１２ａ、１２ｂ、１２ｃ、１２ｄ・・・１２ｘ、１２ｙ、１２ｚはそれぞれ円板の直径が異なり、該薄板状素材を幾重にも重ね合わせることにより、洋ナシを表現している。１３ａ、１３ｂ、１３ｃ・・・は、前記薄板状素材１２ａ、１２ｂ、１２ｃ・・・間に介在するスペーサー、１４は頭部、１５は下端部、１６はテングス等の紐部材、１７は紐部材上部のクランプ部、１８は紐部材下部のクランプ部である。
【００５４】
而して、本考案の実施例３は、種々の色彩を有するカラークラフト紙等を適宜選択して、それぞれ直径鋸となる円板状に型抜きして薄板状素材１２ａ、１２ｂ、１２ｃ、１２ｄ・・・を形成し、該薄板状素材１２ａ、１２ｂ、１２ｃ、１２ｄ・・・を幾重にも重合させることにより、洋ナシ形状のオブジェ本体１１を製作するにあたり、前記薄板状素材１２ａ、１２ｂ、１２ｃ、１２ｄ・・・は互いにスペーサー１３ａ、１３ｂ、１３ｃ・・・を介して疎密に重ね合わせ、該薄板状素材１２ａ、１２ｂ、１２ｃ、１２ｄ・・・のセンター芯を貫通するテングス１６等の紐部材にて両端のクランプ部１７、１８より張着する。
【００５５】
図５は、上記構成にて組み立てられたオブジェ本体１１を平板上に載置した状態を示すもので、前記下端部１５は、薄板状素材の円板のみが重合していて重石状態を形成しており、頭部１４も同様で、前記テングス１６にて連繋している頭部１４と下端部１５間で、薄板状素材１２ａ、１２ｂ、１２ｃ、１２ｄ・・・とスペーサー１３ａ、１３ｂ、１３ｃ・・・が交互に重合して疎密化されている部分が、不定形に撓むことになる。
【００５６】
頭部１４の端部には、クラフト紙にて図５に示す如く、ユーモラスな鼻と目が形成されていて、この様な状態で載置されたオブジェ本体１１は思わず手に取ってその動きや感触を確かめたくなるような玩具や造形物を提供している。
【００５７】
実施例３においても、直径の異なる薄板状素材１２ａ、１２ｂ、１２ｃ、１２ｄ・・・をテングス１６で連繋し張着する際には、前記薄板状素材１２ａ、１２ｂ、１２ｃ、１２ｄ・・・のセンター芯を偏芯させて重合したり、同一オブジェ１１内でセンター芯を貫通させたり、偏芯させて前記薄板状素材１２ａ、１２ｂ、１２ｃ、１２ｄ・・・を連繋させることは、オブジェ本体１１の撓み方を変化させ、面白い表情が得られる。
【００５８】
斯くして、実施例３においても、下記のような構成要素の変更は、オブジェやレリーフとしての造形や表現を大幅に拡げることになるので、説明しておきたい。
【００５９】
即ち、前記薄板状素材１２ａ、１２ｂ、１２ｃ・・・、及びスペーサー１３ａ、１３ｂ、１３ｃ・・・をクラフト紙の他、木板、合成樹脂、金属板、布地、ガラス、石から任意に選択紙、また、それらを組み合わせた構成にすることができる。
【００６０】
前記薄板状素材１２ａ、１２ｂ、１２ｃ・・・の形状は、実施例の如く円板形状だけでなく、正方形、長方形、三角形等任意形状にすることができ、他のモチーフを有する造形物を生み出すことができる。
【００６１】
また、前記薄板状素材１２ａ、１２ｂ、１２ｃ・・・の厚さを任意に選択して製作したり、適宜厚さを変更して、重合することができる。
【００６２】
更に、前記オブジェ本体１１の下端部１５にマグネットを組込み、載置台が鋼製の場合に磁力にて、吸着させ安定した置物とすることや屋内外用のオブジェやレリーフとして下端部１５はアンカーボルト等にてコンクリート台座に固着することができる。
【００６３】
前記薄板状素材１２ａ、１２ｂ、１２ｃ・・・、及び、スペーサー１３ａ、１３ｂ、１３ｃ・・・を貫通して両端で張着するための紐部材は、玩具やオブジェ並びにレリーフ等造形物の大きさ、用いられる薄板状素材１２ａ、１２ｂ、１２ｃ・・・により、テングス１６のみならず、ピアノ線や針金、ワイヤー、凧糸、コイルバネ等から任意に選択し、また組み合わせを自由に選択できる。
【００６４】
そして、前記スペーサー１３ａ、１３ｂ、１３ｃ・・・の厚さは、任意に変えることにより薄板状素材１２ａ、１２ｂ、１２ｃ・・・を重合した際に各薄板状素材間の疎密度を変化したオブジェ本体１１を製作できる。
【実施例４】
【００６５】
本発明の実施例４は、モチーフとしてサルを具象化してオブジェとしてまとめたもので、図６は、実施例４の形状を示す立体説明図である。
【００６６】
図６において、２２はオブジェ本体（モチーフはサル）、２３は鋼製の懸架柱、２４ａ、２４ｂは両腕２５ａ、２５ｂ端部に設けられたマグネット、２６は顔、２７は胴体、２８ａ、２８ｂは足、該足端部には、腕２５ａ、２５ｂと同様にマグネット２９ａ、２９ｂが設けられている。
尚、３０は尻尾を示している。
【００６７】
而して本発明の実施例４は、前記実施例１及び２にて説明した特異な動きをするオブジェ構成部材を、腕２５ａ、２５ｂ、足２８ａ、２８ｂ、尻尾３０のオブジェ部材として使用した。
【００６８】
本実施例では、顔２６、及び胴体２７は、例えばクラフト紙や合成樹脂で製作し、腕、足、尻尾は、実施例１にて説明したように、薄板状素材３１ａ、３１ｂ、３１ｃ・・・を円板状に形成し、該円板状に形成された薄板状素材３１ａ、３１ｂ、３１ｃ・・・を幾重に重合させることによりオブジェ部品として製作する。
【００６９】
そして、薄板状素材の３１ａ、３１ｂ、３１ｃ・・・の円板は、互いにスペーサー（図示せず）を介して疎密に重ね合わせ、該薄板状素材３１ａ、３１ｂ、３１ｃ・・・のセンター芯を貫通するテングス３２及び針金３３等の紐部材にて部品の両端部で張着する。
【００７０】
実施例４は、実施例１乃至実施例３にて詳説したオブジェ本体としての実施例だけでなく、オブジェを構成する部品としても応用価値が大きいことを示しており、室内空間の天井等から鋼製の懸架柱２３に懸架して、該鋼製の懸架柱２３を振動させたり、左右に動かすことにより、オブジェ本体（モチーフはサル）２２は特異な動きをして、ギャラリーを楽しませることができる。
【実施例５】
【００７１】
実施例５は、特に屋内外に設置されるオブジェ並びにレリーフを本考案により制作した実施例を示すもので、図７は大きさの異なる薄板状素材を大きさに異なるスペーサーを介して重ね合わせた例を示す正面図、図８は大きさの異なる薄板状素材を大きさの一定したスペーサーを介して重ね合わせた例を示す正面図である。
【００７２】
図７、及び図８において、５１はオブジェまたはレリーフ本体、５２ａ、５２ｂ、５２ｃ、５２ｄ・・・５２ｘ、５２ｙ、５２ｚは木板や合成樹脂、そして金属板等を円板状に型抜きした薄板状素材で、該薄板状素材５２ａ、５２ｂ、５２ｃ、５２ｄ・・・５２ｘ、５２ｙ、５２ｚはそれぞれ円板の直径が異なり、該薄板状素材を幾重にも重ね合わせることにより、オブジェまたはレリーフ本体５１を形成している。５３ａ、５３ｂ、５３ｃ・・・は、前記薄板状素材５２ａ、５２ｂ、５２ｃ・・・間に介在するスペーサー、５４は上部、５５は下端部、５６は紐部材、５７は紐部材上部のクランプ部、５８は紐部材下部のクランプ部である。
【００７３】
而して、実施例５は、図７に示す如く大きさの異なる薄板状素材５２ａ、５２ｂ、５２ｃ、５２ｄ・・・５２ｘ、５２ｙ、５２ｚを大きさに異なるそれぞれのスペーサー５３ａ、５３ｂ、５３ｃ・・・を介して疎密に重ね合わせて紐部材５６にて両端（上下部分）のクランプ部５７、５８より張着したものである。
【００７４】
また、図８に示す実施例５は、大きさの異なる薄板状素材５２ａ、５２ｂ、５２ｃ、５２ｄ・・・５２ｘ、５２ｙ、５２ｚを大きさの一定したそれぞれのスペーサー５３ａ、５３ｂ、５３ｃ・・・を介して疎密に重ね合わせて紐部材５６にて両端（上下部分）のクランプ部５７、５８より張着したものである。
【００７５】
斯くして、実施例５は、紙、木板、合成樹脂、金属板、布地、ガラス、石からなる薄板状素材５２ａ、５２ｂ、５２ｃ・・・を円板状に多数枚形成し、該円板状に形成したそれぞれの薄板状素材を互いにスペーサー５３ａ、５３ｂ、５３ｃ・・・を介して疎密に重ね合わせ、また、部分的に円板状に形成したそれぞれの薄板状素材５２ａ、５２ｂ、５２ｃ・・・はスペーサー５３ａ、５３ｂ、５３ｃ・・・を介さずに重ね合わせ、該それぞれの薄板状素材５２ａ、５２ｂ、５２ｃ・・・を連繋するための紐部材５６を前記それぞれの薄板状素材５２ａ、５２ｂ、５２ｃ・・・のセンター芯を貫通させて両端部から張着した構造と成し、モチーフを有する造形物を製作したことを特徴とするオブジェ並びにレリーフの構造を提供するものである。
【００７６】
実施例５は、紙、木板、合成樹脂、金属板、布地、ガラス、石からなる薄板状素材５２ａ、５２ｂ、５２ｃ・・・をスペーサー５３ａ、５３ｂ、５３ｃ・・・を介して疎密に重ね合わせ、また、部分的に円板状に形成したそれぞれの薄板状素材５２ａ、５２ｂ、５２ｃ・・・はスペーサー５３ａ、５３ｂ、５３ｃ・・・を介さずに重ね合わせ、該それぞれの薄板状素材５２ａ、５２ｂ、５２ｃ・・・を連繋するための紐部材５６を前記それぞれの薄板状素材５２ａ、５２ｂ、５２ｃ・・・のセンター芯を貫通させたり、途中から前記センター芯より偏芯した位置で貫通させて両端部から張着した構造となしてモチーフを有する造形物を製作するものである。
【００７７】
実施例５における薄板状素材５２ａ、５２ｂ、５２ｃ・・・の形状は、円板状のみならず他の形に形成して任意の形状となし、また該円板状５２ａ、５２ｂ、５２ｃ・・・と他の形に形成された任意の形状の薄板状素材を自由に組み合わせて造形物を製作することができるオブジェ並びにレリーフの構造である。
【００７８】
そして、前記薄板状素材５２ａ、５２ｂ、５２ｃ・・・の直径乃至大きさは実施例５に示す如く、任意に選択し、また該直径乃至大きさの異なる薄板状素材５２ａ、５２ｂ、５２ｃ・・・の組み合わせを自由に選択して造形物を製作するものである。
【００７９】
また、実施例５における薄板状素材５２ａ、５２ｂ、５２ｃ・・・の厚さは、任意に選択し、また該厚さの異なる薄板状素材５２ａ、５２ｂ、５２ｃ・・・の組み合わせを自由に選択して造形物を製作するものである。
【００８０】
更に、実施例５における薄板状素材５２ａ、５２ｂ、５２ｃ・・・の色彩は、素材のカラーを選んだり、塗装によりカラーを任意に選択し、また該色彩の異なる薄板状素材の組み合わせを自由に選択して造形物を製作するものである。
【００８１】
更にまた、実施例５における薄板状素材５２ａ、５２ｂ、５２ｃ・・・は平板状のみならずエンボス板、波板形状のものを任意に選択し、また該平板、エンボス、波板状板の組み合わせを自由に選択して造形物を製作するものである。
【００８２】
而して、実施例５における前記薄板状素材５２ａ、５２ｂ、５２ｃ・・・、またはスペーサー５３ａ、５３ｂ、５３ｃ・・・を貫通して張着するための紐部材５６は可撓性のあるテングス、ピアノ線、針金、ワイヤー、凧糸、コイルバネから任意に選択し、また組み合わせを自由に選択して造形物を製作するものである。
【実施例６】
【００８３】
実施例６は、特に木板、合成樹脂、金属板等加工により薄板状素材とスペーサーを一体化して製作可能なもの例を示す部分拡大図である。図９において、木板、合成樹脂、金属板等により製作される薄板状素材６２ａ、６２ｂ、６２ｃはそれぞれ上下に突部となるスペーサー６３ａ、６３ｂを有しており、該スペーサー６３ａ、６３ｂを有した薄板状素材６２ａ、６２ｂ、６２ｃを疎密に重ね合わせて紐部材６６にて両端より張着したものである。
【００８４】
而して、実施例６における薄板状素材６２ａ、６２ｂ、６２ｃは、薄板状素材６２ａ、６２ｂ、６２ｃのそれぞれ上下に突部となる一体化されたスペーサー６３ａ、６３ｂ介してして疎密に重ね合わせて紐部材６６にて両端より張着したもので、薄板状素材６２ａ、６２ｂ、６２ｃの重合時における各薄板状素材の疎密度を変化可能として、面白い動きを有するオブジェ、並びにレリーフの構造物が得られる。
【実施例７】
【００８５】
実施例７はアクリ板等透明な合成樹脂からなる薄板状素材７２ａ、７２ｂ、７２ｃにて製作される本考案の実施例を示すもので、図１０は、実施例７を説明する部分断面説明図である。
【００８６】
図１０において、透明のアクリ板により製作される薄板状素材７２ａ、７２ｂ、７２ｃを有しており、該薄板状素材７２ａ、７２ｂ、７２ｃは中空板状に形成し、該中空部７７内にそれぞれ有色水等からなる液体７８を流動可能に注入して密閉した構造としている。
【００８７】
そして７３ａ、７３ｂ、７３ｃはスペーサーであり、前記薄板状素材７２ａ、７２ｂ、７２ｃとスペーサー７３ａ、７３ｂ、７３ｃを貫通して張着するための紐部材７６は可撓性のあるテングス、ピアノ線、針金、ワイヤー、凧糸、コイルバネから任意に選択され、また組み合わせを自由に選択して造形物を製作するものである。
【００８８】
而して、実施例７の考案において、前記スペーサーを７３ａ、７３ｂ、７３ｃ介して紐部材７６にて連繋された前記薄板状素材７２ａ、７２ｂ、７２ｃは、風力や人が触ることによる微細な動きに連動して大きく不思議な動きをして、その動きは意外性を持った動きをするオブジェやレリーフを提供できる。
【００８９】
また、図１０において７９は光ファイバーであり、該光ファイバー７９は紐部材７６と同軸上で配線され、適宜位置でその光ファイバー断面８０ａ、８０ｂ、８０ｃ・・・等から光を放つ構成とすることが可能である。
【００９０】
斯くして、実施例７のおいては、薄板状素材７２ａ、７２ｂ、７２ｃをアクリ板等の透明な合成樹脂にて中空板状に形成し、該中空部７７に液体７８を注入して密閉した構造とすることにより、微細な動きに連動して大きく動きだすことを特徴とするオブジェ、並びにレリーフを提供することが可能である。
【００９１】
また、本考案は、光ファイバーを薄板状素材内に組み込み、或いは薄板状素材と薄板状素材間に光ファイバーを組み込むことや、他の実施例として、薄板状素材に合成樹脂からなる蓄光板を用いることにより夜間でも光輝くオブジェやレリーフを構成することができる。
【実施例８】
【００９２】
実施例８は、本考案における薄板状素材の縁部形状に関するものであり、図１１、及び図１２はそれぞれ薄板状素材の縁部形状を示す拡大断面図を示している。
【００９３】
図１１において、薄板状素材８２は金属板等を成型して製作したものであり、その縁部８３の形状は円板上の他の薄板状素材板部８４より厚みのある丸形形状を有している。
【００９４】
従って、前記薄板状素材８２がスペーサーを介して幾重にも疎密に重ね合わせられてピアノ線等の紐部材にて両端張着した構成を有すると、風力や人が触れたときに重なりあった前記薄板状素材８２同士が触れ合って金属音を発する造形物を提供することができる。
【００９５】
また、図１２において、薄板状素材８２は合成樹脂や金属板を成型して製作したものであり、その縁部８３の形状は、樹脂製や金属製の中空パイプ８５が取り付けられており、該中空パイプ８５内には、それぞれ液体８６を流動可能に注入して密閉した構造としている。
【００９６】
従って、本考案の実施例は、薄板状素材８２がスペーサーを介して幾重にも疎密に重ね合わせられてピアノ線等の紐部材にて両端張着した構成を有すると、スペーサーを介してワイヤー等の紐部材にて連繋されたそれぞれの薄板状素材８２が、風力や人が触ることによる微細な動きに連動して大きく不思議な動きをして、その動きは意外性を持った動きをするオブジェやレリーフを提供できる。
【００９７】
斯くして、本考案は、薄板状素材を円板状に形成し、該円板状に形成された薄板状素材を幾重にも重合させることにより玩具やオブジェ並びにレリーフを製作するにあたり、前記薄板状素材の円板は互いにスペーサーを介して疎密に重ね合わせ、該薄板状素材のセンター芯を貫通するテングス等の紐部材にて両端で張着する構成を特徴とした。
【００９８】
また、本考案は、玩具やオブジェ並びにレリーフ全体が、より面白くフレキシブで繊細に可動できるよう、上述の薄板状素材を紐部材で貫通して張着する位置を、前記薄板状素材のセンター芯より偏芯させて設けたり、センター芯での貫通と、偏芯位置での貫通を任意に組み合わせて前記薄板状素材を疎密に重ね合わせる構成を特徴とした。
【００９９】
上記構成により、本考案は、紙、木板、合成樹脂、金属板、布地、ガラス、石等の素材を薄板状に形成して、該薄板状素材を円板、または他の形に型抜きして、幾重にも重ね合わせて、モチーフとなる造形物を製作できる。そして、モチーフを有した造形物が、物の形や色彩の美しさを楽しむだけのものでなく、思わず指先ではじいてみたり、手に取って見たり、触ってみるとフレキシブで繊細に可働する機能を有した薄板状素材からなる玩具、オブジェ並びにレリーフを提供するものである。  
【図面の簡単な説明】
【０１００】
【図１】実施例１を説明する立体図である。
【図２】実施例１の分解説明図である。
【図３】実施例２の分解説明図である。
【図４】実施例３を説明する正面図である。
【図５】実施例３のオブジェを平板上に載置状態を示す説明図である。
【図６】実施例４を説明する立体図である。
【図７】実施例５を説明する正面図である。
【図８】実施例５を説明する正面図である。
【図９】実施例６を説明する部分拡大図である。
【図１０】実施例７を説明する部分断面図である。
【図１１】実施例８を説明する部分拡大図である。
【図１２】実施例８を説明する部分拡大図である。
【符号の説明】
【０１０１】
１  実施例１及び２のオブジェ本体
２ａ、２ｂ、２ｃ・・・２ｘ、２ｙ、２ｚ  薄板状素材
３ａ、３ｂ、３ｃ・・・  スペーサー
４ａ、４ｂ  頭部部材
５ａ、５ｂ  尻尾端部
６  テングス
７ａ、７ｂ、７ｃ・・・  円板
８  張着孔
Ｓ  センター芯
１１  実施例３のオブジェ本体
１２ａ、１２ｂ、１２ｃ・・・  薄板状素材
１３ａ、１３ｂ、１３ｃ・・・  スペーサー
１４  頭部
１５  下端部
１６  テングス等の紐部材
１７  上部クランプ部
１７  下部クランプ部
２２  実施例４のオブジェ本体
２３  懸架柱
２４ａ、２４ｂ  腕
２５ａ、２５ｂ  マグネット
２６  顔
２７  胴体
２８ａ、２８ｂ  足
２９ａ、２９ｂ  マグネット
３０  尻尾
３１ａ、３１ｂ、３１ｃ・・・  薄板状素材
５１  実施例５のオブジェまたはレリーフ本体
５２ａ、５２ｂ、５２ｃ・・・  薄板状素材
５３ａ、５３ｂ、５３ｃ・・・  スペーサー
５４  上部
５５  下端部
５６  紐部材
５７  上部クランプ部
５８  下部クランプ部
６２ａ、６２ｂ、６２ｃ  実施例６の薄板状素材
６３ａ、６３ｂ  スペーサー
６６  紐部材
７２ａ、７２ｂ、７７ｃ・・・  実施例７の薄板状素材
７３ａ、７３ｂ、７３ｃ・・・スペーサー
７６  紐部材
７７  中空部
７８  液体
７９  光ファイバー
８０ａ、８０ｂ、８０ｃ・・・  光ファイバーの断面
８２  実施例７の薄板状素材
８３  薄板状素材の縁部
８４  薄板状素材板部
８５  中空パイプ
８６  液体
【図１】
0003139147.tif 000003
【図２】
0003139147.tif 000004
【図３】
0003139147.tif 000005
【図４】
0003139147.tif 000006
【図５】
0003139147.tif 000007
【図６】
0003139147.tif 000008
【図７】
0003139147.tif 000009
【図８】
0003139147.tif 000010
【図９】
0003139147.tif 000011
【図１０】
0003139147.tif 000012
【図１１】
0003139147.tif 000013
【図１２】
0003139147.tif 000014